(57)【要約】【課題】外観体裁が悪化するなどの不具合を生じさせることなく、簡易な構成により、外装ケースと蓋部材との相互間に不当な隙間が生じないようにすることが可能なヒートポンプ装置を提供する。【解決手段】外装ケース本体６および蓋部材７が組み合われた外装ケースＣと、この外装ケースＣ内の上部寄り領域に配され、かつ凝縮熱交換器３の少なくとも一部分を覆う断熱部材５と、を備えており、蓋部材７は、天板部７０の前部から下向きに突出して前壁部６１の上部の前側に重なった配置とされる前側下向き突出片部７１ａを、備えている、ヒートポンプ装置Ａであって、断熱部材５は、前壁部６１の上部が前側下向き突出片部７１ａから離間する方向に変形または変位することを阻止するように、前壁部６１に当接する当接部５５ａを備えている。【選択図】  図３
2019190757.tif 000002
【特許請求の範囲】
【請求項１】
前壁部を有する上面開口状の外装ケース本体、およびこの外装ケース本体の上部に取付けられ、かつ前記外装ケース本体の上面開口部を塞ぐための天板部を有する蓋部材が組み合われた外装ケースと、
この外装ケース内の上部寄り領域に配され、かつ凝縮熱交換器の少なくとも一部分を覆う断熱部材と、
を備えており、
前記蓋部材は、前記天板部の前部から下向きに突出して前記前壁部の上部の前側に重なった配置とされる前側下向き突出片部を、備えている、ヒートポンプ装置であって、
前記断熱部材は、前記前壁部の上部が前記前側下向き突出片部から離間する方向に変形または変位することを阻止するように、前記前壁部に当接する当接部を備えていることを特徴とする、ヒートポンプ装置。
【請求項２】
請求項１に記載のヒートポンプ装置であって、
前記断熱部材は、前記凝縮熱交換器を載置支持可能な断熱ケース本体と、この断熱ケース本体上に取付けられて前記凝縮熱交換器の上面側を覆う断熱ケース蓋とが組み合わされた断熱ケースであり、
前記断熱ケース本体および断熱ケース蓋の少なくとも一方に、前記当接部が設けられている、ヒートポンプ装置。
【請求項３】
請求項１または２に記載のヒートポンプ装置であって、
前記断熱部材の前面部には、前記外装ケースの前方に向けて部分的に突出する少なくとも１つの前側凸状部が設けられており、
この前側凸状部の先端部が、前記当接部である、ヒートポンプ装置。
【請求項４】
請求項３に記載のヒートポンプ装置であって、
前記外装ケース内に設けられ、かつ前記断熱部材が載置支持される略水平状の載置板を、さらに備えており、
前記前側凸状部は、前記載置板の前端部よりも前記外装ケースの前方側に突出している、ヒートポンプ装置。
【請求項５】
請求項４に記載のヒートポンプ装置であって、
前記載置板に起立して設けられており、かつ前記断熱部材に設けられている下部開口状の孔部または凹部に進入することによって前記断熱部材が前記外装ケースの後方側に変位することを規制する位置決め固定用のストッパ部を、さらに備えている、ヒートポンプ装置。
【発明の詳細な説明】
【技術分野】
【０００１】
本発明は、たとえば給湯装置における湯水加熱用の熱源として用いられるヒートポンプ装置に関する。
【背景技術】
【０００２】
ヒートポンプ装置の一例として、特許文献１に記載のものがある。
同文献に記載のヒートポンプ装置においては、冷凍サイクルを構成する冷媒の蒸発器（蒸発熱交換器）、圧縮機、凝縮熱交換器、および膨張手段が、外装ケース内に収容されている。凝縮熱交換器は、断熱部材（断熱ケース）内に収容された状態とされている。一方、前記外装ケースは、上面開口状の略直方体状であり、その上部には、蓋部材が取付けられている。蓋部材は、外装ケースの上面開口部を覆う天板部と、この天板部の外周縁から下向きに突出する略角筒状の下向き突出片部とを備えており、この下向き突出片部が外装ケースの上部に外嵌するようにして、外装ケースへの取付けが図られている。
【０００３】
しかしながら、前記従来技術においては、次に述べるように、改善すべき余地があった。
【０００４】
すなわち、外装ケースの上部に蓋部材を固定させる場合には、蓋部材の略角筒状の下向き突出片部を、外装ケースにビス止めする手段がよく採用される。ただし、このような手段を採用する場合、蓋部材の前部に位置する前側下向き突出片部を、外装ケースの前壁部にビス止めしたのでは、このビス止め部分が目立ち、ヒートポンプ装置の見栄えが悪くなる虞がある。このため、かかる不具合を回避する手段として、蓋部材の左右両側に位置する左側および右側の下向き突出片部など、蓋部材のうちの前側下向き突出片部を除く適所を、外装ケースにビス止めする手段が採用される場合が多い。
ところが、このような手段を採用したのでは、蓋部材の前側下向き突出片部と外装ケースの前壁部との相互間に隙間が生じる虞がある。これでは、外装ケースの防雨・防塵性能などが損なわれてしまう。
これを解消する手段としては、蓋部材の前側下向き突出片部と外装ケースの前壁部との相互間に、シール用パッキンを介装させる手段があるが、このような手段によれば、シール用パッキンの部品コスト、およびその貼付作業のコストが発生し、ヒートポンプ装置の製造コストがその分だけ高価となる不利を招く。
【先行技術文献】
【特許文献】
【０００５】
【特許文献１】特許第５６４９０６５号公報
【発明の概要】
【発明が解決しようとする課題】
【０００６】
本発明は、前記したような事情のもとで考え出されたものであり、外観体裁が悪化するなどの不具合を生じさせることなく、簡易な構成により、外装ケースと蓋部材との相互間に不当な隙間が生じないようにすることが可能なヒートポンプ装置を提供することを、その課題としている。
【課題を解決するための手段】
【０００７】
上記の課題を解決するため、本発明では、次の技術的手段を講じている。
【０００８】
本発明により提供されるヒートポンプ装置は、前壁部を有する上面開口状の外装ケース
本体、およびこの外装ケース本体の上部に取付けられ、かつ前記外装ケース本体の上面開口部を塞ぐための天板部を有する蓋部材が組み合われた外装ケースと、この外装ケース内の上部寄り領域に配され、かつ凝縮熱交換器の少なくとも一部分を覆う断熱部材と、を備えており、前記蓋部材は、前記天板部の前部から下向きに突出して前記前壁部の上部の前側に重なった配置とされる前側下向き突出片部を、備えている、ヒートポンプ装置であって、前記断熱部材は、前記前壁部の上部が前記前側下向き突出片部から離間する方向に変形または変位することを阻止するように、前記前壁部に当接する当接部を備えていることを特徴としている。
【０００９】
このような構成によれば、次のような効果が得られる。
第１に、凝縮熱交換器の少なくとも一部分を囲む断熱部材の当接部が、外装ケースの前壁部の上部に当接することにより、前壁部の上部が蓋部材の前側下向き突出片部から離間する方向に変形または変位することは阻止され、前記両者間に不当な隙間が生じることを防止することが可能である。したがって、外装ケースと蓋部材との相互間のシール性をよくし、防雨・防塵性能を良好なものとすることが可能である。
第２に、前記したように、シール性をよくすれば、外装ケースの前壁部と蓋部材の前側下向き突出片部との間に、シール用パッキンを介在させる必要を無くすことができる。その一方、前記したシール性の向上は、凝縮熱交換器用の断熱部材を利用して図られており、専用部品を別途用いる必要もない。このため、ヒートポンプ装置の製造コストを低減することが可能である。
第３に、シール性の向上を図るための断熱部材の当接部は、外部から見えるようなことはなく、また外装ケースの前壁部と蓋部材の前側下向き突出片部とをビス止めする必要もなくすことができる。したがって、ヒートポンプ装置の外観体裁を良好なものとすることも可能である。
【００１０】
本発明において、好ましくは、前記断熱部材は、前記凝縮熱交換器を載置支持可能な断熱ケース本体と、この断熱ケース本体上に取付けられて前記凝縮熱交換器の上面側を覆う断熱ケース蓋とが組み合わされた断熱ケースであり、前記断熱ケース本体および断熱ケース蓋の少なくとも一方に、前記当接部が設けられている。
【００１１】
このような構成によれば、断熱ケースにより凝縮熱交換器の断熱性をよくし、熱交換効率をよくすることが可能であるが、前記当接部は、断熱ケース本体および断熱ケース蓋のいずれに設けられていてもよく、融通性に優れる。
【００１２】
本発明において、好ましくは、前記断熱部材の前面部には、前記外装ケースの前方に向けて部分的に突出する少なくとも１つの前側凸状部が設けられており、この前側凸状部の先端部が、前記当接部である。
【００１３】
このような構成によれば、断熱部材の全体のボリュームを無駄に大きくすることなく、前側凸状部の突出高さを適度な高さとすることにより、断熱部材の当接部を、外装ケースの前壁部の上部に適切に当接させることができる。
【００１４】
本発明において、好ましくは、前記外装ケース内に設けられ、かつ前記断熱部材が載置支持される略水平状の載置板を、さらに備えており、前記前側凸状部は、前記載置板の前端部よりも前記外装ケースの前方側に突出している。
【００１５】
このような構成によれば、載置板上に、断熱部材および凝縮熱交換器を載置支持させることが可能であるが、たとえば外装ケースの前壁部が変形して載置板の前部に当接するといったことも、断熱部材の前側凸状部によって防止することが可能である。外装ケースの前壁部が載置板に当接すると、たとえば、金属板どうしの衝突音などの異音が発生する虞
があるが、前記構成によれば、そのような虞をなくすことが可能である。
【００１６】
本発明において、好ましくは、前記載置板に起立して設けられており、かつ前記断熱部材に設けられている下部開口状の孔部または凹部に進入することによって前記断熱部材が前記外装ケースの後方側に変位することを規制する位置決め固定用のストッパ部を、さらに備えている。
【００１７】
このような構成によれば、簡易な構造により、断熱部材の位置決め固定を適切に図ることができる。たとえば、断熱部材が外装ケースの前壁部によって外装ケースの後方側に押された際に、不当に位置ずれするといったことを防止する上で、好ましいものとなる。
【００１８】
本発明のその他の特徴および利点は、添付図面を参照して以下に行なう発明の実施の形態の説明から、より明らかになるであろう。
【図面の簡単な説明】
【００１９】
【図１】本発明に係るヒートポンプ装置の一例を示す外観斜視図である。
【図２】図１に示すヒートポンプ装置の一部省略分解斜視図である。
【図３】図１のIII−III断面図である。
【図４】図２の矢視IVの要部概略平面図である。
【図５】図１に示すヒートポンプ装置で用いられている断熱ケース本体の一例を示す要部斜視図である。
【図６】本発明の他の実施形態を示す要部断面図である。
【発明を実施するための形態】
【００２０】
以下、本発明の好ましい実施の形態について、図面を参照して具体的に説明する。
【００２１】
図１および図２に示すヒートポンプ装置Ａは、たとえばＣＯ2などを冷媒とする冷凍サイクルを構成する機器として、ファン１０を利用して取り込まれる空気から熱を吸収する蒸発熱交換器１（蒸発器）、圧縮機２、湯水加熱用の凝縮熱交換器３、および膨張弁４を備えており、これらが外装ケースＣ内に配された構成である。凝縮熱交換器３は、断熱ケース５内に収容されている。
【００２２】
外装ケースＣは、上面開口状の略直方体に形成された外装ケース本体６と、この外装ケース本体６の上面開口部６０を塞ぐ蓋部材７とを組み合わせて構成されている。外装ケース本体６は、前壁部６１、後壁部６２、左右一対の側壁部６３（図２では、右側の側壁部６３を省略）、および底壁部６４に加え、縦仕切り板６５、および略水平状の載置板６６をさらに備えている。前壁部６１は、たとえば左右両側縁部に上下高さ方向に延びる屈曲片部６１ａを有し、かつこの屈曲片部６１ａが、側壁部６３の前縁部にビス９０を用いて締結されている。このことにより、ビス９０が、外装ケースＣの正面側から不体裁に見え難くなっている。ただし、本発明はこれに限定されず、前壁部６１が側壁部６３に一体的に繋がった構成とすることもできる。
【００２３】
蓋部材７は、天板部７０と、この天板部７０の外周縁から下向きに延びた下向き突出片部７１とを有しており、この下向き突出片部７１が、外装ケース本体６の上部に外嵌するようにして、外装ケース本体６への蓋部材７の取付けが図られている。下向き突出片部７１のうち、左右一対の横側下向き突出片部７１（７１ｃ）は、側壁部６３の上部にビス９１を用いて締結されている。このビス９１も、外装ケースＣの正面側からは不体裁に見え難くなっている。
【００２４】
載置板６６は、外装ケースＣ内の上部寄り領域に位置し、外装ケースＣ内を上下に区画
するように設けられている。載置板６６の上側は、凝縮熱交換器３の配置領域である。外装ケースＣ内のうち、載置板６６よりも下方領域は、縦仕切り板６５によってさらに左右２つの室Ｒ１，Ｒ２に仕切られており、一方の室Ｒ１には、ファン１０および蒸発熱交換器１が配され、かつ他方の室Ｒ２には、圧縮機２や膨張弁４がカバー部材９９内に収容された状態で配されている。
【００２５】
図４に示すように、凝縮熱交換器３は、全体の概略形状が渦巻き状の管体として構成されている。この凝縮熱交換器３は、たとえば図３の断面図で示すように、冷媒が流通する冷媒管３０と、加熱対象の湯水が流通する水管３１とが二重管構造とされたものであり、図４に示すように、平面視略矩形状または長円状の渦巻き状に形成されている。凝縮熱交換器３は上下２段の管体構造となっており、上段部は、一端部３２ａを始点として、外周部から内周部に向かう渦巻き状である。この上段部の終端部は、下段部の始端部と繋がっており、かつ下段部は、上段部とは逆に、内周部から外周部に向かう渦巻き状とされ、他端部３２ｂが終点となっている。凝縮熱交換器３は、断熱ケース５内に収容された状態で載置板６６上に載設されている。
【００２６】
凝縮熱交換器３の両端部３２ａ，３２ｂには、冷媒管３０への冷媒の流入出を行なわせるための冷媒流入用および流出用の配管部３０ａ，３０ｂ、ならびに水管３１への湯水の流入出を行なわせるための湯水流入用および流出用の配管部３１ａ，３１ｂが接続されている。外装ケースＣの側部には、入水口６９ａおよび出湯口６９ｂが設けられており、入水口６９ａに供給された湯水は、凝縮熱交換器３に送り込まれて冷媒により加熱された後に出湯口６９ｂに到達するように構成されている。図示説明は省略するが、本実施形態のヒートポンプ装置Ａは、たとえば貯湯タンク式給湯装置の熱源として用いられるものであり、貯湯タンクから入水口６９ａへの湯水供給がなされ、また加熱された湯水は出湯口６９ｂから貯湯タンクに戻される。
【００２７】
断熱ケース５は、凝縮熱交換器３からの放熱を抑制し、熱交換効率を高めるための部材である。この断熱ケース５は、凝縮熱交換器３を載置支持可能な断熱ケース本体５ａと、この断熱ケース本体５ａ上に取付けられて凝縮熱交換器３の上面側を覆う断熱ケース蓋５ｂとを組み合わせて構成されており、これらは、たとえば発泡スチロールなどの断熱性に優れた樹脂製である。
【００２８】
図５に示すように、断熱ケース本体５ａには、前側凸状部５５、凝縮熱交換器３用の固定部５０、および周壁部５１が一体成形されている。また、孔部５２も形成されている。
【００２９】
前側凸状部５５は、断熱ケース本体５ａの前面部からその前方側に突出する部位であり、前記前面部に少なくとも１箇所設けられている。この前側凸状部５５の先端部は、外装ケースＣの前壁部６１の上部に当接する当接部５５ａである。外装ケースＣの蓋部材７の下向き突出片部７１のうち、蓋部材７の前部に位置する前側下向き突出片部７１（７１ａ）は、前壁部６１の上部の前面側に重なっている。前側凸状部５５は、前壁部６１の上部が外装ケースＣの後方に変形または変位することを阻止する役割を果たす。このことにより、前側下向き突出片部７１ａと前壁部６１との間に不当な隙間を生じないようにすることが可能である。また、前側凸状部５５は、載置板６６の前端部に設けられている上向き屈曲片６６ｃよりも外装ケースＣの前方側に突出している。このことにより、前壁部６１が上向き屈曲片６６ｃに不当に当接し、金属どうしの衝突音が発生することも防止することが可能である。
【００３０】
好ましくは、断熱ケース本体５ａの後面部には、外装ケースＣの後方側に向けて突出し、かつ先端部が後壁部６２の上部に当接する当接部５６ａとされた後側凸状部５６が設けられている。この後側凸状部５６は、後壁部６２の上部が外装ケースＣの前方側に変形ま
たは変位することを阻止し、後壁部６２の上部と後側下向き突出片部７１ｂとの間に隙間が発生することを阻止する役割を果たす。
【００３１】
孔部５２は、断熱ケース本体５ａの中央部またはその近傍に位置し、かつ上下高さ方向に貫通した孔部である。この孔部５２には、載置板６６に設けられた起立片状のストッパ部６６ｂが嵌入・係合しており、このことにより断熱ケース５の載置板６６に対する正確な位置決め固定が図られ、断熱ケース本体５ａが前壁部６１から押圧力を受けた際に、断熱ケース本体５ａが容易に位置ずれしないようになっている。ストッパ部６６ｂは、たとえば載置板６６に切り起こし加工を施して形成された切り起こし片である。なお、本発明においては、上下高さ方向に貫通した孔部５２に代えて、下部開口状の凹部を断熱ケース本体５ａに形成し、この凹部にストッパ部６６ｂを嵌入・係合させた構成とすることも可能である。また、断熱ケース５の固定は、断熱ケース５の各部を外装ケースＣの内面に当接させることや、載置板６６の外周縁部の上向き屈曲片６６ｃに当接させることによっても図ることができる。
【００３２】
固定部５０は、凝縮熱交換器３を固定させるための部位であり、平面視中空矩形状または中空長円状の上向き突出段部５０ａと、その外周側面に設けられた縦リブ状の複数の当接用凸部５０ｂとを備えて構成されている。上向き突出段部５０ａは、断熱ケース本体５ａの上面部から上向きに突出しており、凝縮熱交換器３の最内周管体部によって囲まれた空間部３９に、その下方から進入している。複数の当接用凸部５０ｂは、上向き突出段部５０ａの外周側面から水平方向外方に向けて突出していることにより、凝縮熱交換器３の最内周管体部の複数箇所に当接し、凝縮熱交換器３が水平方向に変位することを阻止している。このことにより、凝縮熱交換器３は、固定部５０を介して断熱ケース本体５ａに的確かつ安定的に位置決め固定されている。好ましくは、各当接用凸部５０ｂと凝縮熱交換器３との当接は、圧接状態である。
【００３３】
断熱ケース本体５ａの周壁部５１は、凝縮熱交換器３の周囲を囲み、断熱性をよくするための部位であり、断熱ケース本体５ａの外周部において上向きに起立している。断熱ケース本体５ａへの断熱ケース蓋５ｂの取付けは、周壁部５１に断熱ケース蓋５ｂを外嵌することにより図られる。好ましくは、凝縮熱交換器３の外周部の略全域は、周壁部５１には非接触状態とされている。凝縮熱交換器３は、冷媒流入用配管部３０ａを介して圧縮機２と接続されているため、この圧縮機２の振動を受ける場合がある。凝縮熱交換器３の外周部が周壁部５１と非接触であれば、凝縮熱交換器３の振動を断熱ケース５に伝達し難くし、断熱ケース５の振動に起因して異音が発生するといった不具合を抑制することが可能である。
【００３４】
次に、前記したヒートポンプ装置Ａの作用について説明する。
【００３５】
図３を参照して説明したように、断熱ケース５の前側凸状部５５が、外装ケース本体６の前壁部６１の上部に当接しており、この前壁部６１と蓋部材７の前側下向き突出片部７１ａとの相互間に不当な隙間が生じないようにすることができる。断熱ケース本体５ａは、ストッパ部６６ｂが孔部５２に嵌入・係合して位置決め固定されているため、前壁部６１を外装ケースＣの後方側に押す強い力が作用したとしても、前壁部６１と同方向に容易には変形しないこととなる。このようなことから、前壁部６１と前側下向き突出片部７１ａとの相互間のシール性をよくすることが可能である。
【００３６】
このようなことから、前壁部６１と前側下向き突出片部７１ａとの相互間のシール性をよくするための手段として、シール用パッキンを用いる必要はない。また、前壁部６１と前側下向き突出片部７１ａとをビス止めする必要もない。したがって、ヒートポンプ装置Ａの製造コストを廉価にすることが可能である。また、外装ケースＣの前面部におけるビ
ス止めを回避することができるため、ビス止め箇所が外装ケースＣの正面側から不体裁に見えるといった不具合を生じないようにし、外装ケースＣの外観体裁を良好にすることも可能である。また、既述したように、前側凸状部５５は、前壁部６１が載置板６６の上向き屈曲片６６ｃに当接することをも防止し、それらの衝突音が発生することも回避されるため、より好ましいものとなる。
【００３７】
図６は、本発明の他の実施形態を示している。同図において、前記実施形態と同一または類似の要素には、前記実施形態と同一の符号を付すこととし、重複説明は省略する。
【００３８】
図６に示す実施形態においては、断熱ケース本体５ａの前側凸状部５５の先端部に、載置板６６の前端部に設けられた上向き屈曲片６６ｃの前面部を覆うカバー部５５ｂが設けられている。
このような構成によれば、前壁部６１が上向き屈曲片６６ｃに当接することを、より確実に防止することが可能である。
【００３９】
本発明は、上述した実施形態の内容に限定されない。本発明に係るヒートポンプ装置の各部の具体的な構成は、本発明の意図する範囲内において種々に設計変更自在である。
【００４０】
本発明でいう当接部は、必ずしも、断熱ケース本体の前面に前側凸状部を形成することによって設けられていなくてもよい。たとえば、断熱ケース本体の前面に、前側凸状部を形成することなく、断熱ケース本体の前面の略全域が前壁部に当接するように設定することにより、当接部を設けた構成とすることもできる。
また、当接部は、断熱ケース本体に代えて、または加えて、断熱ケース蓋に設けた構成とすることもできる。
【００４１】
断熱部材は、凝縮熱交換器の全体を収容する断熱ケースであることが好ましいものの、これに限定されず、たとえば凝縮熱交換器の一部分のみを覆うように構成された断熱部材であってもよい。
凝縮熱交換器は、冷媒管と水管との二重管構造とされた渦巻き状のものに代えて、たとえば蛇行状などの形態とすることも可能であり、さらには冷媒管と水管とを重ね合わせた構造のものとすることも可能であり、その具体的な構成は問わない。
【符号の説明】
【００４２】
Ａ  ヒートポンプ装置
Ｃ  外装ケース
３  凝縮熱交換器
５  断熱ケース（断熱部材）
５ａ  断熱ケース本体
５ｂ  断熱ケース蓋
５２  孔部
５５  前側凸状部
５５ａ  当接部
６  外装ケース本体
６６ｂ  ストッパ部
７  蓋部材（外装ケースの）
７１ａ  前側下向き突出片部
【図１】
2019190757.tif 000003
【図２】
2019190757.tif 000004
【図３】
2019190757.tif 000005
【図４】
2019190757.tif 000006
【図５】
2019190757.tif 000007
【図６】
2019190757.tif 000008